(57)【要約】【課題】部品管理を容易にできる部分深耕機を提供する。【解決手段】部分深耕機１は、前方に移動しながら圃場Ｈの深い位置の土まで耕耘する。部分深耕機１は、圃場Ｈの土を切削して持ち上げる左右対称の矩形状の切削板２５を備える。部分深耕機１は、切削板２５からの土を圃場面Ｇ上方まで持ち上げて左右いずれか一側方に反転放てきする反転板３５を備える。反転板３５は、上部の左右両側に膨出状の反転補助部４０を形成して左右対称の形状とする。【選択図】　　　　図１
2004024049.tif 000002
【特許請求の範囲】
【請求項１】
前方に移動しながら、圃場の深い位置の土まで耕耘する部分深耕機であって、
土を圃場面上方まで持ち上げて左右いずれか一側方に反転放てきする反転板の上部両側に膨出状の反転補助部を形成してこの反転板を左右対称の形状とした
ことを特徴とする部分深耕機。
【請求項２】
前方に移動しながら、圃場の深い位置の土まで耕耘する部分深耕機であって、
圃場の土を切削して持ち上げる左右対称の矩形状の切削板と、
この切削板からの土を圃場面上方まで持ち上げて左右いずれか一側方に反転放てきする反転板とを備え、
前記反転板は、上部の左右両側に膨出状の反転補助部が形成されて左右対称の形状となっている
ことを特徴とする部分深耕機。
【請求項３】
切削板および反転板は、土の付着しにくい合成樹脂材にて形成されている
ことを特徴とする請求項２記載の部分深耕機。
【発明の詳細な説明】
【０００１】
【発明の属する技術分野】
本発明は、圃場の深い位置の土まで耕耘する部分深耕機に関する。
【０００２】
【従来の技術】
従来の部分深耕機は、例えば圃場の土を切削して持ち上げて左右いずれか一側方に反転放てきする上下方向に細長い対土作業板を備え、この対土作業板は、上端側が一側方に向ってねじられて左右非対称の形状となっている。
【０００３】
【発明が解決しようとする課題】
しかしながら、上記従来の部分深耕機では、対土作業板が左右非対称の形状であるため、部品管理が煩雑となりがちであるという問題がある。
【０００４】
本発明は、このような点に鑑みなされたもので、部品管理を容易にできる部分深耕機を提供することを目的とする。
【０００５】
【課題を解決するための手段】
請求項１記載の部分深耕機は、前方に移動しながら、圃場の深い位置の土まで耕耘する部分深耕機であって、土を圃場面上方まで持ち上げて左右いずれか一側方に反転放てきする反転板の上部両側に膨出状の反転補助部を形成してこの反転板を左右対称の形状としたものである。
【０００６】
そして、反転板の上部両側に膨出状の反転補助部を形成してこの反転板を左右対称の形状としたため、部品管理が容易となる。
【０００７】
請求項２記載の部分深耕機は、前方に移動しながら、圃場の深い位置の土まで耕耘する部分深耕機であって、圃場の土を切削して持ち上げる左右対称の矩形状の切削板と、この切削板からの土を圃場面上方まで持ち上げて左右いずれか一側方に反転放てきする反転板とを備え、前記反転板は、上部の左右両側に膨出状の反転補助部が形成されて左右対称の形状となっているものである。
【０００８】
そして、切削板および反転板が比較的短い形状でかつ左右対称の形状であるため、部品管理が容易となる。
【０００９】
請求項３記載の部分深耕機は、請求項２記載の部分深耕機において、切削板および反転板は、土の付着しにくい合成樹脂材にて形成されているものである。
【００１０】
そして、切削板および反転板が土の付着しにくい合成樹脂材にて形成されているため、土付着が抑制され、作業効率が良好になる。
【００１１】
【発明の実施の形態】
以下、本発明の部分深耕機の一実施の形態の構成を図面を参照して説明する。
【００１２】
図１および図２において、１は部分深耕機で、この部分深耕機１は、例えば走行車であるトラクタの走行（牽引動作）により圃場Ｈを前方（進行方向Ｘ）に移動しながら、圃場Ｈの深い位置の土（心土層の土である心土）まで耕耘（切削、破砕および反転）する非駆動式耕耘作業機である。
【００１３】
なお、この部分深耕機１は、圃場Ｈの心土層および耕盤層を切削するとともに切削土を圃場面（地表面）Ｇ上方まで持ち上げてその圃場面Ｇ上に反転および放てきすることにより下層土と上層土とを混ぜて、表土である作土の排水効果および客土効果等の向上を図ろうとするもので、プラウの天地返しとサブソイラの心土破砕との両方の効果を実現できるものである。
【００１４】
そして、この部分深耕機１は、左右方向に長手方向を有する細長パイプ状のフレーム体２を備えている。
【００１５】
このフレーム体２の中央側には、トラクタに連結される連結枠体３が取り付けられている。この連結枠体３は、トップピン４を有するトップマスト５と、ロワピン６を有するロワアーム７とにて構成されている。
【００１６】
また、フレーム体２の両端部には、上下方向に長手方向を有する細長板状の左右一対のアーム体８がアーム取付体９を介して左右位置および上下位置調節可能に取り付けられている。
【００１７】
このアーム体８は、例えば金属製のビーム或いはシャンク等で、略下半部が前方に向って湾曲した形状となっている。また、このアーム体８は、厚さ方向が左右方向に一致した状態となっている。
【００１８】
そして、アーム体８の下端部には、前方への移動に伴って圃場Ｈの土（心土層の土）を切削して持ち上げる先端切削体である金属製のチゼル１１が取付具（例えばボルトおよびナット）１２によって着脱可能に取り付けられているとともに、破砕効果を上げるためのウイング１３が支軸１４を介して上下方向に回動自在に取り付けられている。なお、このチゼル１１は、アーム体８の下端部前方に位置しアーム体８に沿って湾曲した略矩形板状の作用板部１５を有している。この作用板部１５は、湾曲面状の前面が側方に向って傾斜することなく前上方を向いた状態となっている。
【００１９】
また、アーム体８の下端近傍の前縁部には、例えば金属製の切削板取付体２１が取付具（例えばボルトおよびナット）２２によって着脱可能に取り付けられている。
【００２０】
そして、この切削板取付体２１の取付板部２３に、前方への移動に伴ってチゼル１１の作用板部１５からの土を受け入れて圃場面Ｇ近傍（作土層近傍）まで持ち上げるとともに自らも圃場Ｈの土（心土層および耕盤層の土）を切削して圃場面Ｇ近傍まで持ち上げる左右対称の矩形状の切削板２５が取付具（例えばボルトおよびナット）２６によって着脱可能に取り付けられている。
【００２１】
この切削板２５は、例えば土の付着しにくい合成樹脂材にてアーム体８に沿って湾曲した矩形板状に一体に形成され、湾曲面状の前面が側方に向って傾斜することなく前上方を向いた状態となっている。また、この切削板２５は、この切削板２５の下方に隣接するチゼル１１の作用板部１５と同じ幅寸法で形成されているとともに、チゼル１１の作用板部１５と同じ厚さ寸法で形成されている。
【００２２】
なお、切削板取付体２１の取付板部２３は、切削板２５と略同一形状に形成され、切削板２５と取付板部２３とは互いに重なり合った積層状態（２重構造）となっている。すなわち、切削板２５の後面全体と取付板部２３の前面全体とが面接触し、切削板２５全体が取付板部２３全体にて支持されている。
【００２３】
さらに、アーム体８の長手方向略中央の前縁部には、例えば金属製の反転板取付体３１が取付具（例えばボルトおよびナット）３２によって着脱可能に取り付けられている。
【００２４】
そして、この反転板取付体３１の取付板部３３に、前方への移動に伴って切削板２５からの土を受け入れて圃場面Ｇ上方まで持ち上げて左右いずれか一側方に反転放てきする左右対称の略団扇形状の反転板３５が取付具（例えばボルトおよびナット）３６によって着脱可能に取り付けられている。
【００２５】
ここで、反転板取付体３１は、図１および図３に示すように、アーム体８の前縁部の側面にこの前縁部と２重に重なり合うように取付具３２にて取り付けられた基板部３４を有し、この基板部３４の先端に取付板部３３が傾斜状に一体に設けられ、この取付板部３３の前面に反転板３５が取り付けられている。
【００２６】
この反転板３５は、例えば土の付着しにくい合成樹脂材にてアーム体８に沿って湾曲した板状に一体に形成されている。また、この反転板３５は、上部の左右両側に耳板状である膨出状の反転補助部４０，４０が形成されて左右対称の形状となっている。
【００２７】
すなわち、この反転板３５は、下側にやや縦長の矩形板部４１を有するとともに上側にやや横長の矩形板部４２を有し、かつ、上下の矩形板部４１，４２の間に上辺を長辺とし下辺を短辺とする左右対称の台形板部４３を有している。なお、下側の矩形板部４１は、この矩形板部４１の下方に隣接する切削板２５と同じ幅寸法で形成されているとともに、切削板２５と同じ厚さ寸法で形成されている。なお、反転板３５の厚さ寸法を切削板２５の厚さ寸法より小さくしてもよい。
【００２８】
そして、図２から明らかなように、互いに離間対向した一対の反転板３５のうちの進行方向右側の反転板（図２中、左側の反転板）３５は、湾曲面状の前面が内側方に向って傾斜して左斜め前方を向いた状態となっている。この右側の反転板３５は、切削板２５からの土を受け入れて圃場面Ｇ上方まで持ち上げて左側方に反転放てきするものである。
【００２９】
また、進行方向左側の反転板（図２中、右側の反転板）３５は、湾曲面状の前面が内側方に向って傾斜して右斜め前方を向いた状態となっている。この左側の反転板３５は、切削板２５からの土を受け入れて圃場面Ｇ上方まで持ち上げて右側方に反転放てきするものである。
【００３０】
なお、反転板取付体３１の取付板部３３は、反転板３５と略同一形状に形成され、反転板３５と取付板部３３とは互いに重なり合った積層状態（２重構造）となっている。すなわち、反転板３５の後面全体と取付板部３３の前面全体とが面接触し、反転板３５全体が取付板部３３全体にて支持されている。
【００３１】
また、図３に示すように、反転板３５に対する垂線ａと進行方向Ｘとのなす角度θは、例えば１５度〜４５度（好ましくは１５度）である。また、切削板２５および反転板３５は、それぞれ比較的短い形状であり、例えばその長さ寸法は、アーム体８の長さ寸法の半分以下である。また、切削板２５と反転板３５とにて、アーム体８の前縁に沿って位置する作業板４５が構成されている。
【００３２】
次に、上記部分深耕機１を用いて耕耘作業をする場合について説明する。
【００３３】
トラクタのヒッチ部に部分深耕機１の連結枠体３を連結することで、部分深耕機１をトラクタに装着する。そして、トラクタのヒッチ部にて部分深耕機１を下降させることで、この部分深耕機１の下側部分を圃場Ｈの土中に差し込み、その状態で、トラクタの走行により部分深耕機１を進行方向Ｘである前方に移動させる。
【００３４】
部分深耕機１が前方に移動すると、土中を進行するチゼル１１の作用板部１５にて心土層の土が切削されて持ち上げられる。また、土中を進行する切削板２５にてチゼル１１の作用板部１５からの土が圃場面Ｇ近傍まで持ち上げられるとともに、心土層および耕盤層の土が切削されて圃場面Ｇ近傍まで持ち上げられる。
【００３５】
そして、圃場面Ｇから略上半部が突出した状態で進行する傾斜状の反転板３５にて、切削板２５からの土が受け入れられて圃場面Ｇ上方まで持ち上げられ、この持ち上げられた土が内側方に向けて圃場面Ｇ上に反転放てきされる。
【００３６】
このとき、反転板３５の後側の膨出状の反転補助部４０は、土を内側方に向けて適切に案内する。また、反転板３５の前側の膨出状の反転補助部４０は、土が外側方に逃げ出そうとするのを抑制する。
【００３７】
このように、１つに連なった状態の作用板部１５、切削板２５および反転板３５で、深い位置の比較的硬い土壌を含む土が切削、破砕および反転されることにより、比較的深い凹溝部が形成されるとともに、下層土と上層土とが混和され、作土の排水効果、客土効果等が得られる。
【００３８】
なお、例えば切削板２５の交換が必要となった場合は、切削板２５のみを切削板取付体２１から取り外し、新しい切削板２５を切削板取付体２１に取り付ける。また、例えば反転板３５の交換が必要となった場合は、反転板３５のみを反転板取付体３１から取り外し、新しい反転板３５を反転板取付体３１に取り付ける。
【００３９】
そして、上記部分深耕機１によれば、切削板２５および反転板３５が比較的短い形状でかつ左右対称の形状であるため、部品管理を容易にでき、例えば管理コストを低減できる。また、切削板２５および反転板３５の取付作業や交換作業等を容易にできる。
【００４０】
また、切削板２５および反転板３５が土の付着しにくい合成樹脂材にて形成されているため、土付着を抑制でき、作業効率を良好にできる。
【００４１】
また、作業板４５にて押上げられるようにして上昇する土は、切削板２５から反転板３５に乗り移る際に、切削板２５の上端部と反転板３５の下端部との間に形成された段部５０にて効果的に崩されるため、段部５０のない構成に比べて、破砕性を良好にできる。
【００４２】
さらに、作業板４５が上下方向に互いに隣接した状態で位置する互いに別体の２つの切削板２５（磨耗し易い）および反転板３５（磨耗し難い）にて構成され、これら２つの切削板２５および反転板３５がそれぞれ切削板取付体２１および反転板取付体３１を介してアーム体８に対して着脱可能となっているので、作業板４５の部分的な磨耗および破損等に基いて作業板４５全体を交換する必要がなく、切削板２５および反転板３５をそれぞれに応じた最適な時期に別々に交換でき、よって交換コストを低減できかつ交換作業を容易にできる。
【００４３】
また、反転方向が異なる複数の反転板３５を備えた多条式の部分深耕機１においては、例えば反転板３５の片側が大きく磨耗した場合、すなわち例えば進行方向後側に位置する一方の反転補助部４０が進行方向前側に位置する他方の反転補助部４０に比べて大きく磨耗した場合に、一方側の反転板３５とこの反転板３５とは反転方向が異なる他方側の反転板３５とを付換えて交換することで、反転板３５の交換時期を遅らせることができ、よって交換コストの低減を図ることができる。
【００４４】
なお、部分深耕機１は、左右一対で２つの作業板４５を有する２本式のものには限定されず、例えば１本式或いは３本式、４本式、５本以上のものでもよい。
【００４５】
また、部分深耕機１は、各反転板３５を内側方に傾斜させたものには限定されず、例えば各反転板３５を外側方に傾斜させたもの等でもよい。
【００４６】
さらに、例えば切削板取付体２１および反転板取付体３１をアーム体８に一体に形成したり、切削板２５および反転板３５をアーム体８に対して直接取り付けれるようにしてもよい。
【００４７】
また、切削板２５および反転板３５は、例えば土の付着しにくいステンレス板或いは土付着が生じにくい場合には鉄板等による構成でもよい。
【００４８】
さらに、反転板３５は、合成樹脂材にて湾曲板状に形成したものには限定されず、例えば合成樹脂材にて平板状に形成した反転板３５を、湾曲板状に形成した取付板部３３への取付けの際にこの取付板部３３に沿って湾曲板状に変形させるようにしてもよい。
【００４９】
【発明の効果】
請求項１の発明によれば、反転板の上部両側に膨出状の反転補助部を形成してこの反転板を左右対称の形状としたため、部品管理を容易にできる。
【００５０】
請求項２の発明によれば、切削板および反転板が比較的短い形状でかつ左右対称の形状であるため、部品管理を容易にできる。
【００５１】
請求項３の発明によれば、切削板および反転板が土の付着しにくい合成樹脂材にて形成されているため、土付着を抑制でき、作業効率を良好にできる。
【図面の簡単な説明】
【図１】本発明の部分深耕機の一実施の形態の側面図である。
【図２】同上部分深耕機の前面図である。
【図３】同上部分深耕機の反転板の断面図である。
【符号の説明】
１　　部分深耕機
２５　　切削板
３５　　反転板
４０　　反転補助部
Ｈ　　圃場
Ｇ　　圃場面
【図１】
2004024049.tif 000003
【図２】
2004024049.tif 000004
【図３】
2004024049.tif 000005